(57)【要約】【課題】  本願は、光記録媒体の記録再生方式にかかわらず成膜の状態が一定な光記録媒体の成膜方法及び装置を提供する。【解決手段】  本願の光記録媒体の成膜方法は、記録層４、６が積層されて構成される光記録媒体１Ａの当該記録層４、６が、螺旋状のグルーブが形成されている基板２上にスピンコート法によって成膜される光記録媒体の成膜方法であって、当該記録層４、６は、当該グルーブの巻き方向と当該スピンコートの回転方向を対応させて成膜される。【選択図】      図４
2006286032.tif 000002
【特許請求の範囲】
【請求項１】
記録層が積層されて構成される光記録媒体の当該記録層が、螺旋状のグルーブが形成されている基板上にスピンコート法によって成膜される光記録媒体の記録層成膜方法であって、
当該記録層は、
当該グルーブの巻き方向とスピンコートの回転方向を対応させて成膜されることを特徴とする光記録媒体の記録層成膜方法。
【請求項２】
当該光記録媒体が第１及び第２の前記記録層を有する光記録媒体であって、当該第１の記録層と第２の記録層のグルーブの巻き方向が異なるか、当該第１の記録層と第２の記録層のグルーブの巻き方向が同じであるかを検出する検出工程を、更に備え、
当該記録層は、
当該検出結果に基づき、当該グルーブの巻き方向とスピンコートの回転方向を対応させて成膜されることを特徴とする請求項１に記載の光記録媒体の記録層成膜方法。
【請求項３】
当該光記録媒体が第１及び第２の前記記録層を有する光記録媒体であって、且つ前記第１の記録層と前記第２の記録層のグルーブの巻き方向が異なる場合には、
当該第２の記録層は、
当該第１の記録層におけるスピンコートの回転方向と反対方向に成膜されることを特徴とする請求項１に記載の光記録媒体の記録層成膜方法。
【請求項４】
当該光記録媒体が第１及び第２の記録層を有する光記録媒体であって、且つ前記第１の記録層と前記第２の記録層のグルーブの巻き方向が同じである場合には、
当該第２の記録層は、
当該第１記録層におけるスピンコート時の回転方向と同一方向に成膜されることを特徴とする請求項１に記載の光記録媒体の記録層成膜方法。
【請求項５】
多層の記録層が積層されて構成される光記録媒体の当該各記録層が、螺旋状のグルーブが形成された基板上にスピンコート法によって成膜される光記録媒体の記録層成膜装置であって、
当該基板を回転させるスピンドルモータと、
当該スピンドルモータの回転中に当該記録層成膜用の成膜液を当該基板上に供給する成膜液供給手段と、
当該スピンドルモータの回転方向を制御する制御手段と、を具備し、
前記制御手段は、当該グルーブの渦巻き方向に当該スピンドルモータの回転方向を対応させて当該スピンドルモータの回転方向を制御することを特徴とする光記録媒体の記録層成膜装置。
【請求項６】
当該光記録媒体のグルーブの巻き方向を判別する判別手段を、更に具備し、
前記制御手段は、判別結果に基づき、当該グルーブの渦巻き方向に当該スピンドルモータの回転方向を対応させて当該スピンドルモータの回転方向を制御することを特徴とする請求項５に記載の光記録媒体の記録層成膜装置。
【請求項７】
当該光記録媒体が第１及び第２の記録層を有する光記録媒体であって、且つ前記第１の記録層と前記第２の記録層のグルーブの巻き方向が異なる場合には、
当該制御手段は、
当該第２の記録層を成膜する際に、当該第１の記録層におけるスピンコート時の回転方向と反対方向に当該スピンドルモータの回転方向を制御することを特徴とする請求項５、又は６に記載の光記録媒体の記録層成膜装置。
【請求項８】
当該光記録媒体が第１及び第２の記録層を有する光記録媒体であって、且つ前記第１の記録層と前記第２の記録層のグルーブの巻き方向が同じ場合には、
当該制御手段は、
当該第２の記録層を成膜する際に、当該第１記録層におけるスピンコート時の回転方向と同一方向に当該スピンドルモータの回転方向を制御することを特徴とする請求項５、又は６に記載の光記録媒体の記録層成膜装置。
【発明の詳細な説明】
【技術分野】
【０００１】
本願は、例えば、２層を有するＤＶＤ（Digital Versatile Disc）等の光記録媒体における、各層の記録層を成膜する光記録媒体の記録層成膜方法、及び装置に関する。
【背景技術】
【０００２】
例えば、ＤＶＤ等の光記録媒体において、同一基板上に第１及び第２の記録層が積層、または記録層が形成されている２枚の基板を貼り合わされてなる片面記録再生２層型のＤＶＤ等の光記録媒体が存在する。当該記録層は、グルーブが螺旋状に形成されている基板を回転させながら粘性のあるアゾ系、シアニン系等の色素等の成膜液を滴下させ均一な厚さで塗布（スピンコート）して成膜されている。
【０００３】
また、第１の記録層（以下、「Ｌ０層」と称する。）と第２の記録層（以下、「Ｌ１層」と称する。）を有する２層型の光記録媒体の記録再生方式には、パラレルトラック方式とオポジットトラック方式がある。パラレルトラック方式が、当該Ｌ０層とＬ１層のグルーブの巻き方向が同じである（グルーブの巻き方向が内側から外側に向かって形成されている）のに対し、オポジットトラック方式は、当該Ｌ０層とＬ１層のグルーブの巻き方向が異なっている（Ｌ０層はグルーブの巻き方向が内側から外側に向かって形成されているのに対し、Ｌ１層は、グルーブの巻き方向が外側から内側に向かって形成されている）。
【発明の開示】
【発明が解決しようとする課題】
【０００４】
上記に示すように、記録再生方式の違いによって、Ｌ１層のグルーブの巻き方向は異なっているが、従来は、当該記録再生方式の違いにかかわらず、一定方向にスピンコートして記録層の成膜を行っており、異なる記録再生方式では、成膜の状態に差異が生じ、例えば、読み取り不良（ピックアップ不良）等を起こす場合がある。
【０００５】
本願が解決しようとする課題には、上記した問題が一例として挙げられる。
【０００６】
そこで、本願は、光記録媒体の記録再生方式にかかわらず成膜の状態が一定な光記録媒体の成膜方法及び装置を提供することを目的の一例とする。
【課題を解決するための手段】
【０００７】
以下、本願について説明する。なお、本願の理解を容易にするために添付図面の参照符号を括弧書きにて付記するが、それにより本願が図示の形態に限定されるものではない。
【０００８】
請求項１に記載の光記録媒体の記録層成膜方法は、記録層（４、６）が積層されて構成される光記録媒体（１Ａ）の当該記録層が、螺旋状のグルーブが形成されている基板（２）上にスピンコート法によって成膜される光記録媒体の成膜方法であって、当該記録層は、当該グルーブの巻き方向とスピンコートの回転方向を対応させて成膜されることを特徴とする。
【０００９】
また、請求項５に記載の光記録媒体の記録層成膜装置（２０）は、多層の記録層が積層されて構成される光記録媒体の当該各記録層がスピンコートによって螺旋状のグルーブが形成された基板上に成膜されて当該光記録媒体が製造される多層光記録媒体の製造装置であって、当該基板を回転させるスピンドルモータ（２２）と、当該スピンドルモータの回転中に当該記録層成膜用の成膜液を当該基板上に供給する成膜液供給手段（２４）と、当該スピンドルモータの回転方向を制御する制御手段（２５）と、を具備し、前記制御手段は、当該グルーブの渦巻き方向に当該スピンドルモータの回転方向を対応させて当該スピンドルモータの回転方向を制御することを特徴とする。
【発明を実施するための最良の形態】
【００１０】
以下、図１乃至図６を参照して、本願の光記録媒体の記録層成膜方法及び装置の実施形態について説明する。なお、以下の説明において、光ディスクは、片面記録型であって、且つ２層型の光ディスクを用いて説明を行うものとする。また、本実施形態の光ディスクは、本願の光記録媒体、又は多層光記録媒体として機能する。
【００１１】
図１は２層の記録領域を有する光ディスクの基本構造を示し、図１（ａ）は概略平面図、図１（ｂ）は概略断面図、図２は光ディスクのパラレルトラック方式による記録又は再生方法を示した概念的説明図、図３は光ディスクのオポジットトラック方式による記録又は再生方法を示した概念的説明図、図４は光ディスクの基板に形成された螺旋状のグルーブの巻き方向を示し、図４（ａ）はパラレルトラック方式におけるグルーブの巻き方向を示す図、図４（ｂ）はオポジットトラック方式におけるグルーブの巻き方向を示す図、図５は貼り合わせ型の光ディスクの製造工程を示すブロック図、図６は成膜装置の一例を示す構成図である。なお、図１（ｂ）にはオポジットトラック方式のデータ構造を示すものとする。また、以下の説明では図１（ｂ）の上下左右方向を便宜的に光ディスクの上下左右として表現する。
【００１２】
―２層型光ディスク―
まず、２層型光ディスクの基本構造について説明する。
【００１３】
２層型光ディスク（以下、単に「光ディスク１Ａ」と称する。）は、図１に示すように、例えば、透明基板２上に第１の記録層（以下、「Ｌ０層４」と称する。）、及び第２の記録層（以下、「Ｌ１層６」と称する。）が積層された構造をしている。なお、図示しないが、Ｌ０層４上には適宜、銀合金等による半透過膜が形成されており、さらにＬ０層４とＬ１層６の間には適宜UV硬化樹脂等による中間層が形成されており、さらにＬ１層６上には、適宜、銀または銀合金等からなる反射膜が形成される。
【００１４】
光ディスク１Ａの中心には、スピンドルモータ２２とクランプする孔８を有しており、当該各層４、６は、当該孔８を中心として、その径方向にリードインエリア１１、データエリア１２、並びにミドルエリア１３、又はリードアウトエリア１４が設けられている。当該リードインエリア１１内には、光ディスクの種類、記録密度、最大転送レート、光ディスクのデータ領域の最終アドレス、１層又は２層光ディスクか、光ディスクの記録再生方式等の情報が記録されている。
【００１５】
このような光ディスク１Ａの記録再生時には、図１（ｂ）に示すように、下側から上側に向かって照射されるレーザ光ＬＢの集光位置をいずれの記録層４、６に合わせるかに応じて、Ｌ０層４における記録再生が行われるか又はＬ１層６における記録再生が行われる。当該記録再生の方式としては、パラレルトラック方式とオポジットトラック方式がある。
【００１６】
次いで、パラレルトラック方式とオポジットトラック方式の光ディスクの構造と記録又は再生手順について図２、及び図３を用いて説明する。
【００１７】
図２に示すように、当該パラレルトラック方式の光ディスク１ＢのＬ０層４には、内周側から外周側にかけて、リードインエリア１１−０、データエリア１２−０、及びリードアウトエリア１４−０が設けられており、他方Ｌ１層６には、内周側から外周側にかけて、リードインエリア１１−１、データエリア１２−１、及びリードアウトエリア１４−１が設けられている。
【００１８】
一方、図３に示すように、オポジットトラック方式の光ディスク１ＣのＬ０層４には、内周側から外周側にかけて、リードインエリア１１−０、データエリア１２−０、及びミドルエリア１３−０が設けられており、他方、Ｌ１層６には、外周側から内周側にかけて、ミドルエリア１３−１、データエリア１２−１、及びリードアウトエリア１４−１が設けられている。
【００１９】
以上のようにパラレルトラック方式及びオポジットトラック方式の光ディスク１Ｂ、１Ｃは構成されており、当該光ディスク１Ｂ、１Ｃの記録又は再生の際には、光ピックアップによって、レーザ光ＬＢは、透明基板２の側から、即ち、図中の下側から上側に向けて照射され、その焦点距離及び方向が制御される。これにより、夫々の記録層にデータが記録され、または、記録されたデータが再生される。
【００２０】
当該パラレルトラック方式における光ディスクの記録又は再生手順は、具体的には、光ピックアップが、Ｌ０層４において、内周側から外周側へ向かって、即ち、図２中の矢印の右方向へ移動することによって、記録又は再生が行われる。Ｌ０層４における記録又は再生が終了されると、Ｌ１層６における記録又は再生が開始される時に、光ディスク１Ｂの最外周にある光ピックアップが最内周へ向かって移動し、当該光ピックアップの焦点距離をＬ０層４からＬ１層６へ切り替えてＬ０層４における記録又は再生時と、同じように、光ピックアップが、内周側から外周側へ向かって、即ち、図２中の矢印の右方向へ移動することによって、記録又は再生が行われる。
【００２１】
一方、オポジットトラック方式における光ディスクの記録又は再生手順は、具体的には、光ピックアップが、Ｌ０層４において、内周側から外周側へ向かって、即ち、図３中の矢印の右方向へ移動することによって、記録又は再生が行われる。Ｌ０層４における記録又は再生が終了されると、当該光ピックアップの焦点距離をＬ０層４からＬ１層６へ切り替えて、光ピックアップが、Ｌ１層６において、外周側から内周側へ向かって、即ち、図３中の矢印の左方向へ移動することによって、記録又は再生が行われる。
【００２２】
また、図４（ａ）に示すように、パラレルトラック方式で且つ、積層型である場合、又はオポジットトラック方式で且つ、貼り合わせ型である場合の光ディスク１Ｃにおいては、Ｌ０層とＬ１層ともにグルーブの巻き方向が内側から外側に向かって形成されている（ピックアップの記録再生方向がグルーブに沿って時計周りである）。また、図４（ｂ）に示すように、オポジットトラック方式で且つ、積層型である場合、又はパラレルトラック方式で且つ、貼り合わせ型である場合の光ディスク１Ｂにおいては、Ｌ０層はグルーブの巻き方向が内側から外側に向かって形成されているのに対し、Ｌ１層は、グルーブの巻き方向が外側から内側に向かって形成されている（Ｌ１層におけるピックアップの記録再生方向がグルーブに沿って反時計周りである）。このように、パラレルトラック方式で且つ、積層型である場合、又はオポジットトラック方式で且つ、貼り合わせ型である場合の光ディスク１Ｃは、当該Ｌ０層とＬ１層とでグルーブの巻き方向が同じであるのに対し、オポジットトラック方式で且つ、積層型である場合、又はパラレルトラック方式で且つ、貼り合わせ型である場合の光ディスク１Ｂは、当該Ｌ０層とＬ１層とでグルーブの巻き方向が異なっている。即ち、光ディスクの記録再生方式の違い（パラレルトラック方式かオポジットトラック方式であるか）によって、Ｌ１層のグルーブの巻き方向（ピックアップの記録再生方向）が異なっている。
【００２３】
本実施形態では、当該グルーブが形成された基板上に記録層（Ｌ０層、Ｌ１層）を成膜する際には、光ディスクの記録再生方式に基づき、当該各記録層のグルーブの渦巻き方向とスピンコートの回転方向を対応させて記録層を成膜するようになっている。
【００２４】
このようにすれば、異なる記録再生方式にかかわらず成膜の状態は一定となり、成膜の状態に差異が生じることによって発生する読み取り不良などを防止できる。
【００２５】
―貼り合わせ型２層ディスクの製造方法―
次に、図５を参照して、貼り合わせ型２層ディスクの製造方法について説明する。なお、理解しやすいように、図１に示す光ディスクに対応する符号を付することにするが、これにより本願が限定されるものではない。
【００２６】
まず、Ｌ０層４、及びＬ１層６としての２枚の基板（Ｌ０層側の基板は透明基板２）を用意し、それぞれについて、当該基板の表面に螺旋状のグルーブを形成する。当該グルーブは、その記録再生方式に基づいて所定の方向に渦を巻くように形成される（図４参照）。具体的には、記録再生方式がオポジットトラック方式である場合には、Ｌ０層、Ｌ１層ともにグルーブの巻き方向が光ディスクの内側から外側に形成されているのに対し（図４（ａ）参照）、パラレルトラック方式の光ディスクにおいては、Ｌ１層のグルーブの巻き方向が光ディスクの外側から内側に形成されている（図４（ｂ）参照）。尚、片面２層記録再生ＤＶＤ−Ｒの積層型ディスクでは、パラレルトラック方式である場合、Ｌ０層、Ｌ１層ともにグルーブの巻き方向が光ディスクの内側から外側に形成されているのに対し、オポジットトラック方式である場合、Ｌ１層のグルーブの巻き方向が光ディスクの外側から内側に形成されている。
【００２７】
次いで、グルーブが形成されているそれぞれの基板上に、その巻き方向に対応させて（同一方向に）、色素をスピンコートしてＬ０層、及びＬ１層が成膜される。
【００２８】
次いで、当該Ｌ０層、及びＬ１層が成膜された２枚の基板が、接着剤を介して貼り合わせられることによって光ディスクが製造される。
【００２９】
―記録層成膜装置について―
次に、図６を参照して記録層成膜装置について詳述する。本実施形態における記録層成膜装置（以下、単に「成膜装置２０」と称する。）は、制御部の下でグルーブが形成された基板（光ディスク）をスピンドルモータ２２によって回転させつつ、当該基板の表面に記録層（Ｌ０層、Ｌ１層）を成膜する装置である。
【００３０】
成膜装置２０は、載置台２１、スピンドルモータ２２、検出部２３、成膜液供給部２４、制御部２５、メモリ部２６、及びバス２７を備えて構成される。
【００３１】
載置台２１は、光ディスクの透明基板２を載置するものであり、後述するスピンドルモータ２２の上部に配置されている。
【００３２】
スピンドルモータ２２は、透明基板２を回転させるスピンドルモータ２２からなり、当該透明基板２を回転及び停止させるもので、当該透明基板２上に色素をスピンコートして記録層を成膜する際に動作する。
【００３３】
検出部２３は、光ディスクのグルーブの巻き方向を検出するものであり、当該検出部により検出されたグルーブの巻き方向の情報は制御部２５に出力される。この場合、透明基板には、グルーブの巻き方向を特定するための何らかの印が設けられている必要がある。
【００３４】
成膜液供給部２４は、ノズルなどからなり、透明基板２上に成膜液を滴下するもので、当該スピンドルモータ２２の回転にともなって動作する。
【００３５】
制御部２５は、各部２２〜２４、２６に指示を行うことで、成膜装置全体の制御を行うものであり、例えば、検出部２３により検出される記録再生方式の情報に基づいて当該光ディスクのグルーブの巻き方向を判別するとともに、当該判別したグルーブの巻き方向に基づき、当該透明基板２に形成されている各記録層において、グルーブの巻き方向に当該スピンドルモータ２２の回転方向を対応させて、スピンドルモータ２２の回転方向を切替制御しつつ、当該スピンドルモータ２２の回転を制御する。また、制御部２５は、当該スピンドルモータ２２を動作させつつ、成膜液供給部２４を動作させ、透明基板２上に色素をスピンコートさせて記録層を成膜する。
【００３６】
メモリ部２６は、各部２２〜２５が成膜を行う動作をするためのプログラムが格納されるＲＯＭ領域と、プログラム等の動作に必要な変数が格納されるＲＡＭ領域等から構成される。
【００３７】
また、検出部２３の代わりに光ディスクのグルーブの巻き方向の情報を操作ボタンなどで入力する操作部を設け、当該入力されたグルーブの巻き方向の情報を制御部２５に送信するようにしても構わない。このようにすれば、当該入力されたグルーブの巻き方向に基づいて、当該グルーブの渦巻き方向とスピンコート時の回転方向を対応させて記録層を成膜することができる。
【００３８】
―記録層成膜処理の動作―
当該成膜装置を使用して基板に記録層を成膜する動作処理について詳述する。
【００３９】
まず、載置台２１に載置された透明基板２から検出部２３によってグルーブの巻き方向の情報を検出し、当該情報を制御部２５に送信する。
【００４０】
次いで、制御部２５は、成膜する基板に係るグルーブの巻き方向を判別する。
【００４１】
次いで、制御部２５は、当該判別されたグルーブの巻き方向に基づき、透明基板２に形成されている各記録層のグルーブの巻き方向にスピンドルモータ２２の回転方向を対応させて、当該スピンドルモータ２２の回転方向を制御する。具体的には、制御部２５は、当該グルーブの巻き方向に基づき、各記録層における当該グルーブの巻き方向と同一方向に記録層が成膜されるように、スピンドルモータ２２の回転を正回転、逆回転のいずれかに切り替えて当該スピンドルモータ２２を制御する。
【００４２】
次いで、制御部２５は、当該スピンドルモータ２２を動作させつつ、成膜液供給部２４を動作させ、透明基板２上に色素をスピンコートさせて記録層を成膜して処理を終了する。
【００４３】
従来は、光ディスクの記録再生方式に関係なく、色素を所定の方向にスピンコートして記録層を形成していたので、記録再生方式の違いによって成膜の状態に差異が生じていたものの、本実施形態によれば、記録層は、光ディスクの記録再生方式に基づき当該光ディスクの基板に形成された各記録層のグルーブの巻き方向にスピンドルモータ２２の回転方向を対応させて、当該スピンドルモータ２２の回転方向を切り替え制御して、各記録層の成膜を行うので、当該グルーブの巻き方向と同一方向（ライン）に記録層が成膜される。よって、当該光ディスクの記録再生方式の違いにおける記録層の成膜状態に差異は生じない。
【００４４】
以上に説明したように、本実施形態の光ディスクの製造方法は、記録層としてのＬ０層４、及びＬ１層６が積層されて構成される２層の光ディスク１Ａの各記録層４、６が、螺旋状のグルーブが形成された透明基板２上にスピンコート法によって成膜される光ディスク１Ａの製造方法であって、当該各記録層４、６は、当該光ディスク１Ａの記録再生方式に基づき、当該グルーブの渦巻き方向とスピンコートの回転方向を対応させて成膜される。具体的には、当該光ディスク１Ａがオポジットトラック方式で且つ、積層型である場合、又はパラレルトラック方式で且つ、貼り合わせ型である場合には、当該Ｌ１層６は、当該Ｌ０層３におけるスピンコートの回転方向と反対方向に成膜される。一方、当該光ディスク１Ａがパラレルトラック方式で且つ、積層型である場合、又はオポジットトラック方式で且つ、貼り合わせ型である場合には、当該Ｌ１層６は、当該Ｌ０層４におけるスピンコート時の回転方向と同一方向に成膜される。
【００４５】
このようにすれば、Ｌ０層４、及びＬ１層６は、光ディスクの記録再生方式に基づき、当該光ディスクの基板に形成されたグルーブの巻き方向にスピンコートの回転方向を対応させて成膜されるので、当該グルーブの巻き方向と同一方向（ライン）にＬ０層４、及びＬ１層６が成膜される。よって、当該光ディスク１Ａの記録再生方式の違いにおける記録層の成膜状態に差異は生じない。
【００４６】
また、本実施形態の光ディスクの成膜装置２０は、記録層としてのＬ０層４、及びＬ１層６が積層されて構成される２層の光ディスク１Ａの各記録層４、６が、螺旋状のグルーブが形成された透明基板２上にスピンコート法によって成膜される光ディスク１Ａの成膜装置２０であって、当該光ディスクの透明基板２を回転させるスピンドルモータ２２と、当該スピンドルモータ２２の回転中に記録層成膜用の成膜液を当該光ディスクのグルーブが形成された透明基板２上に供給する成膜液供給部２４と、当該光ディスクのグルーブの巻き方向の情報を検出する検出部２３と、当該検出された光ディスクの情報に基づき当該光ディスクのグルーブの巻き方向を判別するとともに、当該スピンドル２２ａの回転方向を制御する制御部２５と、を具備し、前記制御部２５は、判別された記録再生方式に基づき、各記録層の当該グルーブの渦巻き方向に当該スピンドルモータ２２の回転方向を対応させて当該スピンドルモータ２２の回転方向を制御するものである。具体的には、当該光ディスク１Ａがオポジットトラック方式で且つ、積層型である場合、又はパラレルトラック方式で且つ、貼り合わせ型である場合には、当該制御部２５は、当該Ｌ１層６を成膜する際に、当該Ｌ０層４におけるスピンコートの回転方向と反対方向にスピンドルモータ２２の回転方向を制御する。一方、当該光ディスク１Ａがパラレルトラック方式で且つ、積層型である場合、又はオポジットトラック方式で且つ、貼り合わせ型である場合には、当該制御部２５は、当該Ｌ１層６を成膜する際に、当該Ｌ０層４におけるスピンコートの回転方向と同一方向にスピンドルモータ２２の回転方向を制御する。
【００４７】
このようにすれば、Ｌ０層４、及びＬ１層６は、光ディスクの記録再生方式に基づいて当該光ディスク１Ａの透明基板２に形成されたグルーブの巻き方向にスピンドルモータ２２の回転方向を対応させて、当該スピンドルモータ２２の回転方向を制御しつつ、記録層４、６の成膜を行うので、当該グルーブの巻き方向と同一方向（ライン）に記録層４、６が成膜される。よって、当該光ディスク１Ａの記録再生方式の違いにおける記録層の成膜状態に差異は生じない。
【００４８】
本願は以上の実施形態に限定されることなく、種々の形態にて実施してよい。例えば、本実施形態の片面記録型の２層光ディスクに限られず、両面記録形などの方式に適用することも可能である。また、本実施形態の貼り合わせ型の２層ディスクに限られず、積層型の２層ディスクに適用しても構わない。
【図面の簡単な説明】
【００４９】
【図１】２層の記録領域を有する光ディスクの基本構造を示し、図１（ａ）は概略平面図、図１（ｂ）は概略断面図である。
【図２】光ディスクのパラレルトラック方式による記録又は再生方法を示した概念的説明図である。
【図３】光ディスクのオポジットトラック方式による記録又は再生方法を示した概念的説明図である。
【図４】光ディスクの基板に形成されたグルーブの巻き方向を示し、図４（ａ）はオポジットトラック方式におけるグルーブの巻き方向を示す図、図４（ｂ）はパラレルトラック方式におけるグルーブの巻き方向を示す図である。
【図５】貼り合わせ型の光ディスクの製造工程を示すブロック図である。
【図６】成膜装置の一例を示す構成図である。
【符号の説明】
【００５０】
１Ａ  光ディスク
２  透明基板
４  Ｌ０層
６  Ｌ１層
２２  スピンドルモータ
２４  成膜液供給部
２５  制御部
【図１】
2006286032.tif 000003
【図２】
2006286032.tif 000004
【図３】
2006286032.tif 000005
【図４】
2006286032.tif 000006
【図５】
2006286032.tif 000007
【図６】
2006286032.tif 000008